【手続補正書】
【提出日】平成25年12月6日(2013.12.6)
【手続補正１】
【補正対象書類名】特許請求の範囲
【補正対象項目名】全文
【補正方法】変更
【補正の内容】
【特許請求の範囲】
【請求項１】
強化コンテンツを提供する方法であって、該方法は、インターネットインタフェースを有するコントローラを含むセットトップボックスにより実施され、
ａ．前記コントローラが、電子番組ガイドデータを受け取るステップと、
ｂ．前記セットトップボックスに結合した主ディスプレイデバイスに表示される番組を特定する少なくとも１つの特徴を特定する、前記少なくとも１つの特徴は前記電子番組ガイド内からのものであるステップと、
ｃ．前記インターネットインタフェースを用いて少なくとも１つの外部コンテンツソースを検索し、前記少なくとも１つの特徴に基づいて、前記番組に関係する情報を求めるステップと、
ｄ．前記検索中に得られた前記番組に関係する情報を、前記セットトップボックス中のメモリに格納するステップと、
ｅ．前記コントローラが、前記番組に関係する情報を、前記番組に関係する情報に対応するコンテンツへのユーザのアクセスを可能とするデータアイテムの第１のリストと、前記コンテンツから求めたデータを含み、前記コンテンツから求めたデータを用いて別の関係する情報を求める別の検索の開始を可能とするデータアイテムの第２のリストとに組織化するステップと、
ｆ．ユーザインタフェースディスプレイプロセッサを介して、前記メモリに格納された、前記番組に関係する前記データアイテムの第１のリストと前記データタイムの第２のリストとを、第２のディスプレイを有する別のデバイスに表示する、前記第２のディスプレイを有する別のデバイスは、前記第２のディスプレイ上に表示された前記データアイテムの第１のリストと前記データアイテムの第２のリスト中のリンクを介して追加的情報にアクセスするために前記インターネットインタフェースのウェブサーバにポイントされたブラウザを有するステップとを有する方法。
【請求項２】
前記電子番組ガイド中の各番組についてステップｂ−ｄを繰り返すステップをさらに有する、請求項１に記載の方法。
【請求項３】
前記電子番組ガイド中の第１の番組に第１のディスプレイをチューニングするステップと、
ユーザに、前記メモリに格納された、第１の番組に関係する情報へのアクセスを提供するステップとをさらに有する、請求項１に記載の方法。
【請求項４】
前記格納された関係する情報を解析して前記主要コンテンツに関係するコンテンツを特定するステップと、
前記インターネットインタフェースを用いて、前記解析で特定したコンテンツを求めて複数の外部データソースを自動的に検索するステップと、
第２のディスプレイでユーザに提示する関係コンテンツを読み出すステップとをさらに有する、請求項１に記載の方法。
【請求項５】
前記自動的検索で見つけたコンテンツに関連するロケーション情報を特定するステップと、
前記コンテンツに関連するロケーション情報を前記メモリに格納するステップとをさらに有する、請求項４に記載の方法。
【請求項６】
ユーザインタフェースディスプレイプロセッサにより、前記読み出した関係コンテンツに関連するロケーション情報を含む、前記読み出した関係コンテンツを表すデータを、前記第２のディスプレイに表示して、ユーザがアクセスできるようにするステップをさらに有する、請求項５に記載の方法。
【請求項７】
読み出した各コンテンツにアクセスできるレベルを決定するため、アクセスフォーマットタイプを特定するステップと、
決定されたアクセスフォーマットタイプを読み出した各コンテンツと関連付けるステップと、
読み出した各コンテンツの関連アクセスフォーマットタイプを表すデータをメモリに格納するステップとをさらに有する、請求項４に記載の方法。
【請求項８】
ユーザインタフェースディスプレイプロセッサにより、前記読み出した関係コンテンツに関連するアクセスフォーマットタイプを含む、前記読み出した関係コンテンツを表すデータを、前記第２のディスプレイデバイスに表示して、ユーザがアクセスできるようにするステップをさらに有する、請求項７に記載の方法。
【請求項９】
強化コンテンツを提供するセットトップボックスであって、
電子番組ガイドデータを受け取るレシーバと、
少なくとも１つの外部コンテンツソースへの通信を提供するインターネットインタフェースと、
前記電子番組ガイド中から複数の番組のうちの第１の番組を特定する少なくとも１つの特徴を読み出し、前記少なくとも１つの特徴に基づいて、前記第１の番組に関する情報を求めて少なくとも１つの外部コンテンツソースを検索し、前記第１の番組に関係する情報を、前記番組に関係する情報に対応するコンテンツへのユーザのアクセスを可能とするデータアイテムの第１のリストと、前記コンテンツから求めたデータを含み、前記コンテンツから求めたデータを用いて別の関係する情報を求める別の検索の開始を可能とするデータアイテムの第２のリストとに組織化し、前記第１の番組は主ディスプレイデバイスに表示される、関係コンテンツプロセッサと、
前記少なくとも１つの外部コンテンツソースから求められた第１の番組に関する情報を格納するメモリと、
前記メモリに格納された、前記第１の番組に関する前記データアイテムの第１のリストと前記データアイテムの第２のリストとの前記セットトップボックスとは別の第２のディスプレイ上への表示を開始する前記第２のディスプレイデバイスは、前記第２のディスプレイ上に表示された前記データアイテムの第１のリストと前記データアイテムの第２のリスト中のリンクを介して追加的情報にアクセスするために前記インターネットインタフェースのウェブサーバにポイントされたブラウザを有する、ユーザインタフェースとを有する、セットトップボックス。
【請求項１０】
前記関係コンテンツプロセッサが、前記電子番組ガイド中の番組を特定する少なくとも１つの特徴を読み出し、その少なくとも１つの特徴に基づいて、前記電子番組ガイド中の複数の番組のそれぞれについて、前記番組に関係する情報を求めて少なくとも１つの外部コンテンツソースを検索する、請求項９に記載のセットトップボックス。
【請求項１１】
第１のディスプレイデバイスに表示する、複数の番組のうちの一番組にチューニングするチューナをさらに有し、
前記ユーザインタフェースディスプレイプロセッサは、ユーザに、前記メモリに格納された情報へのアクセスを第２のディスプレイ上で提供する、請求項９に記載のセットトップボックス。
【請求項１２】
前記関係コンテンツプロセッサは、前記格納された関係情報を解析して前記主要コンテンツに関係するコンテンツを特定し、
前記インターネットインタフェースを用いて、前記特定したコンテンツを求めて複数の外部データソースを自動的に検索し、
第２のディスプレイでユーザに提示する関係コンテンツを、前記インターネットインタフェースにより読み出す、請求項９に記載のセットトップボックス。
【請求項１３】
前記関係コンテンツプロセッサは、前記複数の外部データソースの検索で見つけたコンテンツに関連するロケーション情報を特定し、前記コンテンツに関連するロケーション情報を前記メモリに格納する、請求項１２に記載のセットトップボックス。
【請求項１４】
前記ユーザインタフェースプロセッサは、前記読み出した関係コンテンツに関連するロケーション情報を含む、前記読み出した関係コンテンツを表すデータを、前記第２のディスプレイデバイスに表示して、ユーザがアクセスできるようにする、請求項１３に記載のセットトップボックス。
【請求項１５】
前記関係コンテンツプロセッサは、読み出した各コンテンツにアクセスできるレベルを決定するアクセスフォーマットタイプを特定し、
決定されたアクセスフォーマットタイプを読み出した各コンテンツと関連付け、
読み出した各コンテンツの関連アクセスフォーマットタイプを表すデータをメモリに格納する、請求項１２に記載のセットトップボックス。
【請求項１６】
前記ユーザインタフェースプロセッサは、前記読み出した関係コンテンツに関連するアクセスフォーマットタイプ含む、前記読み出した関係コンテンツを表すデータを、前記第２のディスプレイデバイスに表示して、ユーザがアクセスできるようにする、
請求項１５に記載のセットトップボックス。